(57)【特許請求の範囲】
【請求項１】
ａ．ベーステープ１の表面に、雄条２が熱融着され、ベーステープ３の表面に雌条４が熱融着された袋用ジッパーテープの製造方法において、幅広のベーステープ１をロール状に巻きとる工程と、
ｂ．前記ロール状に巻き取られたベーステープ１を繰り出す工程と、
ｃ．隣接する雄条２及び雌条４がそれぞれ対を成すように、それぞれの異形押し出し成形機２２ａ、２２ｂから前記対となるものごとに異色に着色された溶融樹脂を多列状に押し出し、ベーステープ１の熱融着フィルムの表面に熱融着して咬合部を形成する工程と、
ｄ．多列状の雄条２及び雌条４であって、それぞれが対になっているベーステープ１を、各条ごとにカットする工程と、
ｅ．カットされたベーステープ１の雄条２と、雄条２と隣接する雌条４とを咬合してジッパーテープを形成する工程と、
ｆ．各ジッパーテープを巻きとり、製品とする工程と、
ｇ．から成る袋用ジッパーテープの製造方法。
【発明の詳細な説明】
【０００１】
【発明の属する技術分野】
本発明は、袋の口部内に再密封用に取り付けて用いられるジッパーテープの製法に関する。
【０００２】
【従来の技術】
従来の袋用ジッパーは、袋の内面にシールするための２枚のベーステープと、このベーステープの上面に夫々形成されている雄条と雌条とは押出機から一体に押し出して成形している。
そして、ジッパーテープに着色を施すことにより、袋の口内にジッパーテープが装着されていることが判るようにする、あるいはデザイン的にカラフル化することを望んだ場合には、材料となる溶融樹脂に着色剤を添加してこれを押出機から押し出す必要がある。
【０００３】
このため、ジッパーテープ全体を同一色に着色することは可能であるが、雄条と雌条だけ、あるいは咬合部とベーステープ側を別々に着色したりすることはできないことから、ジッパー付の袋のデザインの場合、ジッパー部分のデザインが他の部分に較べて変化に乏しくなってしまうという欠点がある。
【０００４】
また、ジッパーテープの場合、これを袋の口部内に取り付けてしまうと、ジッパーテープを直接目視できるのはベーステープの表面と咬合部だけであるため、このジッパーテープに文字、例えば咬合部の密閉状態の確認を促すための「ジッパーテープの色が青に変わっていない場合にはもう一度閉じているか否かを確認して下さい」と云った注意文字を印刷することは、咬合部が邪魔して出来ない。しかし、このような注意書きの印刷ができると便利である。
【０００５】
【発明が解決しようとする課題】
本発明は斯る点に鑑みて提案されるものであって、その目的は、ジッパーテープにおいて、ジッパーテープが袋の口内に装着されていることが外から目視（色）で判るようにすると共に、袋の表面のデザインをカラフル化して袋及びこの袋内に充填されている商品価値を高め、購売に寄与できる袋用ジッパーテープの製法を提供することである。
【０００６】
【課題を解決するための手段】
上記目的を達成するため、請求項１に記載の発明においては、ａ．ベーステープ１の表面に、雄条２が熱融着され、ベーステープ３の表面に雌条４が熱融着された袋用ジッパーテープの製造方法において、幅広のベーステープ１をロール状に巻きとる工程と、
ｂ．前記ロール状に巻き取られたベーステープ１を繰り出す工程と、
ｃ．隣接する雄条２及び雌条４がそれぞれ対を成すように、それぞれの異形押し出し成形機２２ａ、２２ｂから前記対となるものごとに異色に着色された溶融樹脂を多列状に押し出し、ベーステープ１の熱融着フィルムの表面に熱融着して咬合部を形成する工程と、
ｄ．多列状の雄条２及び雌条４であって、それぞれが対になっているベーステープ１を、各条ごとにカットする工程と、
ｅ．カットされたベーステープ１の雄条２と、雄条２と隣接する雌条４とを咬合してジッパーテープを形成する工程と、
ｆ．各ジッパーテープを巻きとり、製品とする工程と、
ｇ．から成ることを特徴とするものである。
【０００８】
図１は請求項１に記載した本発明により製造されたジッパーテープを示すもので、１は雄側のベーステープ、２はこのベーステープ１の表面に熱溶着された雄条、３は雌側のベーステープ、４はこのベーステープ３の表面に熱溶着された雌条であって、前記雄条２と雌条４は咬合及び離脱自在である。
【０００９】
なお、上記ベーステープ１、３は実施例にあっては３層構造となっていて、外層（袋の内面にヒートシールする層）及び内層（雄条２と雌条４が熱融着する層）はポリエチレン系の樹脂で形成され、この外層と内層間に挿入されている中間層フィルムは２軸延伸ポリエステルフィルムで形成されている。そして、雄条２と雌条４は、ともにポリエチレン樹脂で形成されている。但し、これらの材質は一例であって、その他のフィルム、樹脂を機能に合わせて選択することができる。
５は、雄条２側のベーステープ１及び雌条４側のベーステープ３の表面に、印刷された「咬合確認」の注意書きである。
【００１０】
図２は、上記したジッパーテープを袋１０の口部１１内に装着した状態を示し、雄側と雌側のベーステープ１、３は夫々ヒートシール方法により袋１０の口部１１の内面に対向するようにしてヒートシールされている。なお、このことから明らかなように実施例の袋１０の内面にはヒートシール用にポリエチレンフィルム層が形成されている。
【００１１】
図３は、内容物を充填したのち、ジッパーを閉じ、併せて袋１０の口部１１をヒートシール方法により口シール１２した状態の説明図である。１３はＶカットであって、ここから袋１０の口部１１を図２のように開放できる。
上記構成のジッパーテープにおいては、ベーステープ１又は３の内面（咬合部例）に咬合確認を促す文字が印刷されているため、袋１０の口部１１を再密封する際に、咬合確認が励行され、予期しない失敗、例えばジッパー部分から内容物が漏れ出たりする心配がなくなる。
【００１２】
また、ベーステープ１又は３に着色を施すことにより、この色が袋１０の外から目視でき、ジッパー付の袋であることが判り易くなる。
また、ベーステープ１と３側の色を変えることにより、袋１０の表と裏とのデザインにおいて、ジッパーがあるために袋１０のデザインにおいて色の制約を受けることがなく、デザインの自由度が増す。
【００１３】
次に、ジッパーテープの製造方法を次に説明する。図４は異形押出機を用いて幅広のベーステープフィルム２０上に雄条２と雌条４を押し出してジッパーテープを製造している様子である。この図４において、２０はスリットしてベーステープ１、３に分けられる前の幅広のベーステープフィルムであって、このベーステープフィルム２０はロールから繰り出されたのち、注意書き５用印刷シリンダー２１で注意書き５が印刷され、次に異形押出機２２のところで、この異形押出機２２のダイスから交互に雄条２と雌条４とが押し出されてくる。この雄条２と雌条４は、その熱でベーステープフィルム２０の表面に熱融着し、次に冷却槽２３で水冷されたのち、図５に示すようにスリッター２４で各条ごとにスリットされ、隣り同士の雄条２と雌条４が咬合機２５で咬合され、次に捲きとられる。
【００１４】
図６は雄条２と雌条４に別な色を着色する場合であって、このときは雄条２側と雌条４側の押出機２２を２２ａと２２ｂに分け、夫々に別色の着色剤を配合した樹脂が充填されていて、ベーステープフィルム２０上に別色の雄条２と雌条４を融着して形成できる。
【００１５】
【発明の効果】
本発明は以上のように、ジッパーテープにおいて、そのベーステープ又は咬合用の雄条と雌条に文字、又は図形、又は色彩等を施すことにより、少くともジッパー部が透明又は半透明な袋においてジッパーの装着状態を外部から目視確認できる。
また、ベーステープの咬合部側に文字や、図形、色彩を印刷することができるので、ジッパーテープを開いたときにこの印刷を目視でき、注意書き等をこの見易いベーステープの表面に表示できて便利である。
また、咬合部を色分けすることにより、咬合したときの色の変化で咬合確認ができる。
また、ジッパーテープの外側に図形、模様、あるいは着色を行うことで、袋のデザインをジッパー部分においてもカラフル化できる。
【図面の簡単な説明】
【図１】  本発明に係るジッパーテープの説明図。
【図２】  ジッパーテープを袋の口部内に装着した状態の説明図。
【図３】  ジッパー付袋の口部をヒートシールして密封した状態の説明図。
【図４】  本発明に係るジッパーテープの製造法の説明図。
【図５】  本発明において色違いの咬合部を有するジッパーテープの製造法の説明図。
【図６】  本発明において、雄と雌の咬合部を別々の押出機を用いて形成している状態の説明図。
【符号の説明】
１  雄条側ベーステープ
２  雄条
３  雌条側ベーステープ
４  雌条
５  注意書き
１０  袋
１１  口部
１２  口シール
１３  Ｖカット
２０  ベーステープフィルム
２１  シリンダー
２２  異形押出機
２３  冷却槽
２４  スリッター
２５  咬合機
【図１】
0003923309.tif 000002
【図２】
0003923309.tif 000003
【図３】
0003923309.tif 000004
【図４】
0003923309.tif 000005
【図５】
0003923309.tif 000006
【図６】
0003923309.tif 000007